(57)【特許請求の範囲】
【請求項１】
記録テープが巻装されたリールを収容するケースと、
各種情報が記憶されたＩＣチップが露出された状態で設けられた非接触型のメモリーボードと、
前記ケースに設けられ、前記メモリーボードを所定の角度で傾斜配置させるための支持面に凹部が形成された支持部材と、
接着機能を有するとともに前記凹部内に収容され、前記ＩＣチップが埋め込まれるとともに、該ＩＣチップの周りにおける前記メモリーボードが接着されることで、前記支持部材に前記メモリーボードを保持させる保護材と、
を備えたことを特徴とする記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジには、記録容量や記録形式等の各種情報を記憶したＩＣチップを備えた非接触型のメモリーボードが内蔵される場合がある。
【０００３】
このメモリーボードのＩＣチップは、電磁波によりアクセス（読み取り・書き込み）可能に構成されており、ＩＣチップに記憶されている各種情報を、ケースの後面側からアクセスするライブラリー装置や、ケースの下面側からアクセスするドライブ装置に対応可能なように、メモリーボードは、ケース内において、所定の角度（例えば４５°）に傾斜配置されている（例えば、特許文献１参照）。
【特許文献１】特開平１１−１８５４３１号公報
【発明の開示】
【発明が解決しようとする課題】
【０００４】
しかしながら、特許文献１に記載のメモリーボードは、その上端部と下端部がそれぞれ接着剤によってケースに接着されて、所定の角度（例えば４５°）に傾斜配置されているため、記録テープカートリッジの製造コストがかかる問題がある。また、メモリーボードの上端部と下端部をそれぞれ接着剤でケースに固定する場合、所定の角度（例えば４５°）に安定して傾斜配置させることが難しい。
【０００５】
そこで、本発明は、メモリーボードを安価な製造コストで安定して傾斜配置させることができる記録テープカートリッジを得ることを目的とする。
【課題を解決するための手段】
【０００６】
上記の目的を達成するために、本発明に係る請求項１に記載の記録テープカートリッジは、記録テープが巻装されたリールを収容するケースと、各種情報が記憶されたＩＣチップが露出された状態で設けられた非接触型のメモリーボードと、前記ケースに設けられ、前記メモリーボードを所定の角度で傾斜配置させるための支持面に凹部が形成された支持部材と、接着機能を有するとともに前記凹部内に収容され、前記ＩＣチップが埋め込まれるとともに、該ＩＣチップの周りにおける前記メモリーボードが接着されることで、前記支持部材に前記メモリーボードを保持させる保護材と、を備えたことを特徴としている。
【０００７】
請求項１に記載の発明によれば、メモリーボードを所定の角度に傾斜配置させるための支持部材における支持面に形成された凹部に、露出された状態のＩＣチップを保護可能で接着機能を有する保護材が収容されている。
【０００８】
したがって、メモリーボードを設ける以前において、保護材は支持部材に良好に保持され、メモリーボードはＩＣチップを保護材に対面（埋め込む）させる状態でケース内に供給されるだけで、その支持部材に接着状態で固定される。
【０００９】
これにより、メモリーボードは、比較的安価な製造コストでありながら、安定して所定の角度に傾斜配置される。また、ＩＣチップの保護材をケース側に備えるので、メモリーボードにＩＣチップを保護する保護材を設ける必要がない。よって、メモリーボードの製造コストも低減することができる。
【発明の効果】
【００１０】
以上のように、本発明によれば、メモリーボードを安価な製造コストで安定して傾斜配置させることができる記録テープカートリッジを提供することができる。
【発明を実施するための最良の形態】
【００１１】
以下、本発明の最良な実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１２】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１３】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１４】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１５】
また、リールハブ２２の底壁２８の下面には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００１６】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１７】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００１８】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００１９】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２０】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２１】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２２】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２３】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２４】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２５】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。
【００２６】
また、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００２７】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００２８】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００２９】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３０】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３１】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００３２】
また、図２、図３で示すように、ケース１２の右後部には、記録容量、記録形式等の各種情報が記憶され、非接触でアクセス可能なＩＣチップｈを備えたメモリーボードＭが所定の角度に傾斜配置される。このメモリーボードＭは、略矩形平板状（平面視略長方形状）に形成され、その長手方向略中央部よりも一端側（例えば左半分側）の一方の面（下面）のほぼ中央に、そのＩＣチップｈが設けられている。
【００３３】
また、図２、図４〜図６で示すように、下ケース１６の底板１６Ａ内面で、かつ右後側のビスボス１５及び支持台６６の後方側には、メモリーボードＭを所定の角度θ（例えばθ＝４５°）に傾斜配置させる支持部材１００が一体に形成されている。この支持部材１００は、側面視で略直角二等辺三角形となる略三角柱状に形成されており、その所定の角度θに傾斜した上面がメモリーボードＭよりも面積が少し小さい平面視略長方形状の支持面１０２とされている。
【００３４】
そして、その支持面１０２の一端側（この場合は左半分側）には、所定の面積とされた平面視略正方形状の凹部１０４が形成されており、この凹部１０４内に、ＩＣチップｈを保護可能で、かつ接着機能を有する保護材Ｐが収容されるようになっている。ここで、この保護材Ｐとしては、例えば、エポキシ樹脂系接着剤、アクリル樹脂系接着剤、ポリウレタン樹脂系接着剤などが挙げられ、中でも工程内での作為的硬化が可能であり、寸法安定性、耐久性に優れた紫外線硬化性エポキシ樹脂系接着剤が最も好ましい。また、凹部１０４の形状は、平面視略正方形状に限定されるものではなく、ＩＣチップｈを保護可能な大きさであれば、例えば長方形や台形、菱形等の四角形状や円形状などにしてもよい。
【００３５】
さて、このような支持部材１００の支持面１０２上にメモリーボードＭが設けられるが、その際には、長手方向が左右方向とされ、かつＩＣチップｈが保護材Ｐに対面して埋め込まれる状態で設けられる。そして、このとき、保護材Ｐは接着機能を有しているので、ＩＣチップｈの周りのメモリーボードＭの一端側（この場合は左半分側）の一方の面（下面）が保護材Ｐに接着される。つまり、これにより、メモリーボードＭは、保護材Ｐによって支持面１０２上に接着された状態で固定され、所定の角度θに安定して傾斜配置される。
【００３６】
なお、支持部材１００の前方側に、メモリーボードＭの下端部を位置規制する位置規制リブ（位置規制部材）１０５を左右方向に所定間隔を隔てて２個突設したり、支持部材１００の左方側に、メモリーボードＭの左端部を位置規制する位置規制リブ（位置規制部材）１０６を突設し、支持部材１００の右方側に、メモリーボードＭの右端部を位置規制する位置規制リブ（位置規制部材）１０８を突設したりして、メモリーボードＭの前後方向及び左右方向の位置を規制するようにしてもよい。
【００３７】
また、このように、メモリーボードＭは、支持部材１００に接着されて固定されるため、上ケース１４側には、メモリーボードＭを保持する保持部材等を形成しなくてもよいが、図３で示すように、上ケース１４の天板１４Ａ内面で、かつ右後側のビスボス１５よりも後方側に、メモリーボードＭの他方の面（上面）に対して微少な間隙を隔てて対向する保持リブ１１０を左右方向に所定間隔を隔てて２個突設するようにしてもよい。
【００３８】
以上のような構成の記録テープカートリッジ１０において、次にその作用について説明する。記録テープカートリッジ１０では、不使用時（保管時や運搬時等）には、開口１８がドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００３９】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４０】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４１】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４２】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００４３】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００４４】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００４５】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００４６】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００４７】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００４８】
次に、メモリーボードＭを所定の角度θ（例えばθ＝４５°）に保持する支持部材１００の作用について説明する。記録テープカートリッジ１０の製造工程では、メモリーボードＭは、下ケース１６側へ供給される。ここで、このメモリーボードＭには、ＩＣチップｈを保護する保護材Ｐが設けられておらず、ＩＣチップｈは露出された状態になっている。つまり、保護材Ｐは、メモリーボードＭがケース１２内に供給された際にＩＣチップｈに設けられるため、この時点では設ける必要がない。したがって、メモリーボードＭの製造コストを低減することができ、その生産性を向上させることができる。
【００４９】
一方、下ケース１６には、メモリーボードＭを所定の角度θに傾斜配置させるための支持部材１００が形成されている。そして、この支持部材１００の支持面１０２に形成された凹部１０４内には、ＩＣチップｈを保護する保護材Ｐが予め収容されている。したがって、メモリーボードＭが供給される以前において、保護材Ｐは支持面１０２上に良好に保持される。そして、メモリーボードＭは、そのＩＣチップｈを保護材Ｐに対面させる状態で、下ケース１６内に供給され、その保護材ＰにＩＣチップｈが埋め込まれる（埋設される）。これにより、ＩＣチップｈが保護材Ｐによって保護（封止）される。
【００５０】
また、この保護材Ｐは接着機能を有している。したがって、ＩＣチップｈを保護材Ｐに埋め込むようにしてメモリーボードＭが支持面１０２上に設けられると、その保護材ＰによってメモリーボードＭが支持面１０２上に接着・固定される。これにより、メモリーボードＭは、支持部材１００の支持面１０２上から脱落することなく（支持面１０２上に沿って位置ズレすることなく）、安定して所定の傾斜角度θに保持される。
【００５１】
なお、凹部１０４内に収容・保持されている保護材Ｐは、側面視で、その凹部１０４内から上方に向けて大きくはみ出さないようになっている。つまり、保護材Ｐは、メモリーボードＭを接着可能な程度にしか支持面１０２上からはみ出さないようになっている。したがって、メモリーボードＭは、支持面１０２から離隔する方向、即ちメモリーボードＭの他端側（右半分側）の幅方向を軸方向とした回転方向の位置ズレも抑制されている。
【００５２】
よって、メモリーボードＭは、その位置が安定化され、メモリーボードＭに対して後面側からアクセスするライブラリー装置（図示省略）や、メモリーボードＭに対して下面側からアクセスするドライブ装置（図示省略）からの通信距離を安定化することができる。なお、位置規制リブ１０５、１０６、１０８によって、メモリーボードＭの前後方向及び左右方向の位置を規制してもよく、これによれば、メモリーボードＭの位置を更に安定化することができる。
【００５３】
なお、メモリーボードＭが下ケース１６内に所定の角度θで保持（傾斜配置）された後、所定のタイミングで上ケース１４が下ケース１６に被されるが、メモリーボードＭは、下ケース１６から脱落することなく（支持面１０２上に接着固定されて）保持されているので、上ケース１４と下ケース１６との間に、そのメモリーボードＭが挟まれるような不具合は起きない。また、下ケース１６には、凹部１０４が形成された支持面１０２を有する支持部材１００を設けるだけでよいため、その形状を簡素化することができ、その寸法精度を向上させることができる。
【００５４】
また、図７で示すように、凹部１０４を、支持面１０２の他端側（右半分側）を含むように左右方向に大きく形成し（長手方向に長い平面視略長方形状に形成し）、保護材Ｐをその内部に収容すれば、メモリーボードＭの左右方向の向きを制限することなく、下ケース１６に供給することが可能となる。
【００５５】
つまり、このような構成にすると、ＩＣチップｈが、その他端側（右半分側）の一方の面（下面）のほぼ中央に設けられた状態で供給されても、保護材ＰによりＩＣチップｈを保護することができ、メモリーボードＭを支持面１０２上に接着させることができる。したがって、この場合には、記録テープカートリッジ１０の製造ライン上のコストも低減することが可能となり、その生産性を向上させることができる。
【００５６】
以上、本実施形態に係る記録テープカートリッジ１０について説明したが、本実施形態に係る記録テープカートリッジ１０は、図示のものに限定されるものではなく、本発明の要旨を逸脱しない範囲内において、適宜設計変更可能なものである。例えば、上記実施例の記録テープカートリッジ１０では、リーダー部材としてリーダーピン３０を有する構成としたが、図示しないリーダーテープを有する構成としてもよい。
【００５７】
また、位置規制リブ１０５及び保持リブ１１０は、各２個設ける構成としたが、例えば各１個又は各３個以上設ける構成にしてもよい。更に、ドア５０も、直線状の動軌跡となる構成にしたが、例えば平面視略円弧状の動軌跡となる平面視略円弧状ドアとしてもよい。また、記録テープＴは、情報の記録及び記録した情報の再生が可能な長尺テープ状の情報記録再生媒体として把握されるものであれば足り、記録テープカートリッジ１０が、如何なる記録再生方式の記録テープＴにも適用可能であることは言うまでもない。
【図面の簡単な説明】
【００５８】
【図１】記録テープカートリッジの概略斜視図
【図２】記録テープカートリッジを上方から見た場合の概略分解斜視図
【図３】記録テープカートリッジを下方から見た場合の概略分解斜視図
【図４】メモリーボードを支持部材に保持させる前の状態を示す概略斜視図
【図５】メモリーボードを支持部材に保持させた後の状態を示す概略斜視図
【図６】メモリーボードを支持部材に保持させた後の状態を示す概略側面図
【図７】メモリーボードを変形例の支持部材に保持させる前の状態を示す概略斜視図
【符号の説明】
【００５９】
１０  記録テープカートリッジ
１２  ケース
１４  上ケース
１６  下ケース
２０  リール
３０  リーダーピン
５０  ドア
７０  ライトプロテクト
８０  制動部材
９０  解除部材
１００  支持部材
１０２  支持面
１０４  凹部
１０５  位置規制リブ
１０６  位置規制リブ
１０８  位置規制リブ
１１０  保持リブ
ｈ  ＩＣチップ
Ｍ  メモリーボード
Ｐ  保護材
Ｔ  記録テープ
【図１】
0004864921.tif 000002
【図２】
0004864921.tif 000003
【図３】
0004864921.tif 000004
【図４】
0004864921.tif 000005
【図５】
0004864921.tif 000006
【図６】
0004864921.tif 000007
【図７】
0004864921.tif 000008